(57)【要約】【課題】入力デバイスとして電子ペンを利用することにより、ユーザが地図に関連する地理的情報を、デジタルデータとして容易に取得することができる地理的情報提供システムを提供する。【解決手段】地理的情報提供システムにおいては、ユーザは地図が印刷されている印刷物上の特定の位置を電子ペンにより指定すると、その位置座標が地理的情報提供システムに送信される。そして、送信された位置座標に対応する実際の位置情報が取得され、その位置に対応する地図データが取得されてユーザの端末装置へ送信される。よって、ユーザは、印刷物上で所望の位置を電子ペンで指定すれば、その位置の地図データを自己の端末装置において受信、表示することができる。また、印刷物上で特定の出発地及び目的地を指定することにより、その間の経路情報を端末装置上で取得することもできる。【選択図】　　　図７
2004046424.tif 000002
【特許請求の範囲】
【請求項１】
地図が印刷されたエリア内に、当該エリアを特定する情報が印刷されている印刷物上において、ユーザが電子ペンにより、エリア内で指定した書込位置座標を受信する受信手段と、
前記書込位置座標と、実際の位置に関連する位置情報との対応を記憶した位置情報テーブルと、
前記位置情報テーブルを参照して、前記書込位置座標から、対応する位置情報を取得する位置取得手段と、
前記位置情報と対応する地図データを記憶した地図テーブルと、
前記位置情報取得手段より取得した位置情報に基づいて、前記地図テーブルから地図データを取得する地図データ取得手段と、
前記地図データ取得手段により取得した地図データを、ユーザの端末装置へ送信する送信手段と、を備えることを特徴とする地理的情報提供システム。
【請求項２】
前記地図テーブルは予め設定された縮尺の地図データを記憶しており、
前記受信手段は、さらに、前記予め設定された縮尺の中から、ユーザが電子ペンにより指定した縮尺情報を受信し、
前記地図データ取得手段は、前記位置情報及び前記縮尺情報に基づいて、前記地図テーブルから前記地図データを取得することを特徴とする請求項１に記載の地理的情報提供システム。
【請求項３】
地図が印刷されたエリア内に、当該エリアを特定する情報が印刷されている印刷物上において、ユーザが電子ペンにより、出発地として指定した書込位置座標を示す出発地書込位置座標を受信する出発地受信手段と、
ユーザが電子ペンにより、目的地として指定した書込位置座標を示す目的地書込位置座標を受信する目的地受信手段と、
前記書込位置座標と、実際の位置に関連する位置情報との対応を記憶した位置情報テーブルと、
前記位置情報テーブルを参照して、前記出発地書込位置座標から、対応する出発地の位置情報を取得する出発地位置情報取得手段と、
前記位置情報テーブルを参照して、前記目的地書込位置座標から、対応する目的地の位置情報を取得する目的地位置情報取得手段と、
前記位置情報と対応する経路情報を記憶した経路テーブルと、
前記出発地位置情報、前記目的地位置情報及び前記経路テーブルに基づいて、経路情報を取得する経路情報取得手段と、
前記経路情報取得手段により取得した経路情報を、ユーザの端末装置へ送信する送信手段と、を備えることを特徴とする地理的情報提供システム。
【請求項４】
前記書込位置座標は、前記ユーザの端末装置から前記受信手段へ送信されることを特徴とする１乃至３のいずれか一項に記載の地理的情報提供システム。
【請求項５】
前記位置情報は、緯度及び経度に対応する情報であることを特徴とする請求項１乃至４のいずれか一項に記載された地理的情報提供システム。
【請求項６】
書込位置座標に対応する実際の位置に関連する位置情報を記憶した位置情報テーブルと、前記位置情報と対応する地図データを記憶した地図テーブルと、を備える地理的情報提供システムにより実行される地理的情報提供方法において、
地図が印刷されたエリア内に、当該エリアを特定する情報が印刷されている印刷物上において、ユーザが電子ペンにより指定した書込位置座標を受信する工程と、
前記位置情報テーブルを参照して、前記書込位置座標から、対応する位置情報を取得する工程と、
前記取得した位置情報に基づいて、前記地図テーブルから地図データを取得する工程と、
前記取得した地図データを、前記ユーザの端末装置へ送信する工程と、を有することを特徴とする地理的情報提供方法。
【請求項７】
書込位置座標と対応する実際の位置に関連する位置情報を記憶した位置情報テーブルと、前記位置情報と対応する経路情報を記憶した経路テーブルと、を備える地理的情報提供システムにより実行される地理的情報提供方法において、
地図が印刷されたエリア内に、当該エリアを特定する情報が印刷されている印刷物上において、ユーザが電子ペンにより、出発地として指定した書込位置座標を示す出発地書込位置座標を受信する工程と、
ユーザが電子ペンにより、目的地として指定した書込位置座標を示す目的地書込位置座標を受信する工程と、
前記位置情報テーブルを参照して、前記出発地書込位置座標から、対応する出発地の位置情報を取得する工程と、
前記位置情報テーブルを参照して、前記目的地書込位置座標から、対応する目的地の位置情報を取得する工程と、
前記出発地の位置情報、前記目的地の位置情報及び前記経路テーブルに基づいて、経路情報を取得する工程と、
前記取得した経路情報を、前記ユーザの端末装置へ送信する工程と、を有することを特徴とする地理的情報提供方法。
【請求項８】
書込位置座標に対応する実際の位置に関連する位置情報を記憶した位置情報テーブルと、前記位置情報と対応する地図データを記憶した地図テーブルと、を備える地理的情報提供システムにより実行される地理的情報提供プログラムにおいて、前記地理的情報提供システムに、
地図が印刷されたエリア内に、当該エリアを特定する情報が印刷されている印刷物上において、ユーザが電子ペンにより指定した書込位置座標を受信する工程と、
前記位置情報テーブルを参照して、前記書込位置座標から、対応する位置情報を取得する工程と、
前記取得した位置情報に基づいて、地図テーブルから地図データを取得する工程と、
前記取得した地図データを、前記ユーザの端末装置へ送信する工程と、を実行させることを特徴とする地理的情報提供プログラム。
【請求項９】
前記書込位置座標に対応する実際の位置に関連する位置情報との対応を記憶した位置情報テーブルと、前記位置情報と対応する経路情報を記憶した経路テーブルと、を備える地理的情報提供システムにより実行される地理的情報提供プログラムにおいて、前記地理的情報提供システムに、
地図が印刷されたエリア内に、当該エリアを特定する情報が印刷されている印刷物上において、ユーザが電子ペンにより、出発地として指定した書込位置座標を示す出発地書込位置座標を受信する工程と、
ユーザが電子ペンにより、目的地として指定したエリアを示す目的地書込位置座標を受信する工程と、
前記位置情報テーブルを参照して、前記出発地書込位置座標から、対応する出発地の位置情報を取得する工程と、
前記位置情報テーブルを参照して、前記目的地書込位置座標から、対応する目的地の位置情報を取得する工程と、
前記出発地位置情報、前記目的地位置情報及び前記経路テーブルに基づいて、経路情報を取得する工程と、
前記取得した経路情報を、前記ユーザの端末装置へ送信する工程と、を実行させることを特徴とする地理的情報提供プログラム。
【請求項１０】
インクペンユニット及び光学的にドットパターンを読み取る読取ユニットを備える電子ペンにより記入される電子ペン用帳票であって、
前記読取ユニットにより光学的に読取可能に設けられたドットパターン領域と、
前記ドットパターン領域内に設けられた地図と、
前記地図に対応付けて前記ドットパターン領域内に設けられ、前記ユーザの端末装置に送信すべき情報を指定するチェックボックスと、を備えることを特徴とする電子ペン用帳票。
【請求項１１】
前記送信すべき情報は、前記地図の縮尺、又は、前記地図上の目的地の少なくとも一方を含むことを特徴とする請求項１０に記載の電子ペン用帳票。
【請求項１２】
前記送信すべき情報は、さらに、前記地図上の出発地、又は、ユーザの要求する情報が前記目的地への乗換に関する情報であるか徒歩に関する情報であるかの指定を含むことを特徴とする請求項１１に記載の電子ペン用帳票。
【請求項１３】
前記チェックボックスは、前記情報を送信する端末装置を選択するためのチェックボックスを含むことを特徴とする請求項１０乃至１２のいずれか一項に記載の電子ペン用帳票。
【発明の詳細な説明】
【０００１】
【発明の属する技術分野】
本発明は、地図と電子ペンを利用し、携帯電話、ＰＤＡ、その他の端末装置を通じて、当該地図に関連するデータを取得するためのシステムに関する。
【０００２】
【従来の技術】
従来から、ユーザが道を確認する場合などに参照する地図の形態には、紙媒体又はデジタルデータの２種類が考えられる。通常、紙媒体の地図は、所定のエリア毎にまとめられ、書籍として販売されている。一方、デジタルデータの地図は、所定のウェブサイト上で検索し、ユーザの使用する端末上で閲覧できるようになっている。
【０００３】
【発明が解決しようとする課題】
しかし、ユーザは、紙媒体の地図を参照する場合、予め決まった縮尺でしか閲覧することができない。例えば、ユーザが書籍に記載されている地図を参照するの場合、当該書籍に記載されている地図以外の任意の縮尺で地図を参照することはできない。
【０００４】
また、ユーザは、デジタルデータの地図を参照する場合、所定のウェブサイトへ接続し、目的とする地図を自ら見つけ出して表示する必要があり、手間がかかる。慣れないユーザにとっては、自ら所定のウェブサイトを探し出して、目的の地図に対応するデジタルデータをダウンロードすることは大変なことである。さらに、携帯電話をはじめとする、入力デバイスが小さく、文字入力が困難な端末装置の場合、ユーザが目的の地図に対応するデジタルデータを検索するために、住所など複雑な文字等を入力することは大変困難である。
【０００５】
本発明は、以上の点に鑑みてなされたものであり、入力デバイスとして電子ペンを利用することにより、ユーザが地図に関連する地理的情報を、デジタルデータとして容易に取得することができる地理的情報提供システムを提供することを課題とする。
【０００６】
【課題を解決するための手段】
本発明の１つの観点では、地理的情報提供システムは、地図が印刷されたエリア内に、当該エリアを特定する情報が印刷されている印刷物上において、ユーザが電子ペンにより、エリア内で指定した書込位置座標を受信する受信手段と、前記書込位置座標と、実際の位置に関連する位置情報との対応を記憶した位置情報テーブルと、前記位置情報テーブルを参照して、前記書込位置座標から、対応する位置情報を取得する位置取得手段と、前記位置情報と対応する地図データを記憶した地図テーブルと、前記位置情報取得手段より取得した位置情報に基づいて、前記地図テーブルから地図データを取得する地図データ取得手段と、前記地図データ取得手段により取得した地図データを、ユーザの端末装置へ送信する送信手段と、を備える。
【０００７】
上記の地理的情報提供システムにおいては、ユーザは地図が印刷されている印刷物上の特定の位置を電子ペンにより指定すると、その位置座標が地理的情報提供システムに送信される。そして、送信された位置座標に対応する実際の位置情報が取得され、その位置に対応する地図データが取得されてユーザの端末装置へ送信される。よって、ユーザは、印刷物上で所望の位置を電子ペンで指定すれば、その位置の地図データを自己の端末装置において受信、表示することができる。
【０００８】
上記の地理的情報提供システムの一態様では、前記地図テーブルは予め設定された縮尺の地図データを記憶しており、前記受信手段は、さらに、前記予め設定された縮尺の中から、ユーザが電子ペンにより指定した縮尺情報を受信し、前記地図データ取得手段は、前記位置情報及び前記縮尺情報に基づいて、前記地図テーブルから前記地図データを取得することができる。これによれば、ユーザは特定の位置を指定するとともに、希望の縮尺を選択することにより、その縮尺の地図データを端末装置上で取得することができる。
【０００９】
本発明の他の観点では、地理的情報提供システムは、地図が印刷されたエリア内に、当該エリアを特定する情報が印刷されている印刷物上において、ユーザが電子ペンにより、出発地として指定した書込位置座標を示す出発地書込位置座標を受信する出発地受信手段と、ユーザが電子ペンにより、目的地として指定した書込位置座標を示す目的地書込位置座標を受信する目的地受信手段と、前記書込位置座標と、実際の位置に関連する位置情報との対応を記憶した位置情報テーブルと、前記位置情報テーブルを参照して、前記出発地書込位置座標から、対応する出発地の位置情報を取得する出発地位置情報取得手段と、前記位置情報テーブルを参照して、前記目的地書込位置座標から、対応する目的地の位置情報を取得する目的地位置情報取得手段と、前記位置情報と対応する経路情報を記憶した経路テーブルと、前記出発地位置情報、前記目的地位置情報及び前記経路テーブルに基づいて、経路情報を取得する経路情報取得手段と、前記経路情報取得手段により取得した経路情報を、ユーザの端末装置へ送信する送信手段と、を備える。
【００１０】
上記の地理的情報提供システムでは、地図が印刷された印刷物上でユーザが出発地及び目的地を指定すると、それらに対応する実際の位置情報が取得され、その間の経路情報が取得される。そして、経路情報はユーザの端末装置へ送信される。よって、ユーザは、出発地及び目的地を印刷物上で電子ペンにより指定すれば、その間の経路情報を自己の端末装置上に受信し、表示することができる。
【００１１】
ここで、書込位置座標は、前記ユーザの端末装置から前記受信手段へ送信することができる。また、位置情報は、緯度及び経度に対応する情報とすることができる。
【００１２】
本発明のさらに他の観点では、書込位置座標に対応する実際の位置に関連する位置情報を記憶した位置情報テーブルと、前記位置情報と対応する地図データを記憶した地図テーブルと、を備える地理的情報提供システムにより実行される地理的情報提供方法は、地図が印刷されたエリア内に、当該エリアを特定する情報が印刷されている印刷物上において、ユーザが電子ペンにより指定した書込位置座標を受信する工程と、前記位置情報テーブルを参照して、前記書込位置座標から、対応する位置情報を取得する工程と、前記取得した位置情報に基づいて、前記地図テーブルから地図データを取得する工程と、前記取得した地図データを、前記ユーザの端末装置へ送信する工程と、を有する。この方法によれば、前述の地理的情報提供システムと同様に、ユーザは、印刷物上で所望の位置を電子ペンで指定すれば、その位置の地図データを自己の端末装置において受信、表示することができる。
【００１３】
また、本発明のさらに他の観点では、書込位置座標と対応する実際の位置に関連する位置情報を記憶した位置情報テーブルと、前記位置情報と対応する経路情報を記憶した経路テーブルと、を備える地理的情報提供システムにより実行される地理的情報提供方法において、地図が印刷されたエリア内に、当該エリアを特定する情報が印刷されている印刷物上において、ユーザが電子ペンにより、出発地として指定した書込位置座標を示す出発地書込位置座標を受信する工程と、ユーザが電子ペンにより、目的地として指定した書込位置座標を示す目的地書込位置座標を受信する工程と、前記位置情報テーブルを参照して、前記出発地書込位置座標から、対応する出発地の位置情報を取得する工程と、前記位置情報テーブルを参照して、前記目的地書込位置座標から、対応する目的地の位置情報を取得する工程と、前記出発地の位置情報、前記目的地の位置情報及び前記経路テーブルに基づいて、経路情報を取得する工程と、前記取得した経路情報を、前記ユーザの端末装置へ送信する工程と、を有する。この方法によれば、前述の地理的情報提供システムと同様に、ユーザは、出発地及び目的地を印刷物上で電子ペンにより指定すれば、その間の経路情報を自己の端末装置上に受信し、表示することができる。
【００１４】
本発明のさらに他の観点では、書込位置座標に対応する実際の位置に関連する位置情報を記憶した位置情報テーブルと、前記位置情報と対応する地図データを記憶した地図テーブルと、を備える地理的情報提供システムにより実行される地理的情報提供プログラムには、前記地理的情報提供システムに、地図が印刷されたエリア内に、当該エリアを特定する情報が印刷されている印刷物上において、ユーザが電子ペンにより指定した書込位置座標を受信する工程と、前記位置情報テーブルを参照して、前記書込位置座標から、対応する位置情報を取得する工程と、前記取得した位置情報に基づいて、地図テーブルから地図データを取得する工程と、前記取得した地図データを、前記ユーザの端末装置へ送信する工程と、を実行させる。このプログラムを実行することにより、前述の地理的情報提供システムと同様に、ユーザは、印刷物上で所望の位置を電子ペンで指定すれば、その位置の地図データを自己の端末装置において受信、表示することができる。
【００１５】
本発明のさらに他の観点では、前記書込位置座標に対応する実際の位置に関連する位置情報との対応を記憶した位置情報テーブルと、前記位置情報と対応する経路情報を記憶した経路テーブルと、を備える地理的情報提供システムにより実行される地理的情報提供プログラムは、前記地理的情報提供システムに、地図が印刷されたエリア内に、当該エリアを特定する情報が印刷されている印刷物上において、ユーザが電子ペンにより、出発地として指定した書込位置座標を示す出発地書込位置座標を受信する工程と、ユーザが電子ペンにより、目的地として指定したエリアを示す目的地書込位置座標を受信する工程と、前記位置情報テーブルを参照して、前記出発地書込位置座標から、対応する出発地の位置情報を取得する工程と、前記位置情報テーブルを参照して、前記目的地書込位置座標から、対応する目的地の位置情報を取得する工程と、前記出発地位置情報、前記目的地位置情報及び前記経路テーブルに基づいて、経路情報を取得する工程と、前記取得した経路情報を、前記ユーザの端末装置へ送信する工程と、を実行させる。このプログラムを実行することにより、前述の地理的情報提供システムと同様に、ユーザは、出発地及び目的地を印刷物上で電子ペンにより指定すれば、その間の経路情報を自己の端末装置上に受信し、表示することができる。
【００１６】
本発明のさらに他の観点では、インクペンユニット及び光学的にドットパターンを読み取る読取ユニットを備える電子ペンにより記入される電子ペン用帳票は、前記読取ユニットにより光学的に読取可能に設けられたドットパターン領域と、前記ドットパターン領域内に設けられた地図と、前記地図に対応付けて前記ドットパターン領域内に設けられ、前記ユーザの端末装置に送信すべき情報を指定するチェックボックスと、を備える。
【００１７】
この電子ペン用帳票では、ユーザが地図上の特定の位置を電子ペンにより指定し、さらに特定のチェックボックスを指定することにより、指定に応じた地理的情報がユーザの端末装置へ送信される。
【００１８】
上記のように構成された電子ペン用帳票において、前記送信すべき情報は、前記地図上の目的地、又は、前記地図の縮尺の少なくとも一方を含む。これによれば、例えば、ユーザが地図上の特定の位置を電子ペンにより指定することで目的地を設定することができる。また、例えば、ユーザが特定のチェックボックスを指定することで地図の縮尺を設定することができる。よって、ユーザの当該設定に応じた地理的情報をユーザの端末装置へ送信することができる。
【００１９】
上記のように構成された電子ペン用帳票において、前記送信すべき情報は、さらに、前記地図上の出発地、又は、ユーザの要求する情報が前記目的地への乗換に関する情報であるか徒歩に関する情報であるかの指定を含む。これによれば、例えば、ユーザが地図上の特定の位置を電子ペンにより指定し、さらに特定のチェックボックスを指定することで出発地を設定することができる。また、例えば、ユーザが取得したい地理的情報が、交通機関を利用した乗換等の情報であるか、徒歩による所要時間等の情報であるかを設定することもできる。よって、ユーザの当該設定に応じた地理的情報をユーザの端末装置へ送信することができる。
【００２０】
上記のように構成された電子ペン用帳票において、前記チェックボックスは、前記情報を送信する端末装置を選択するためのチェックボックスを含む。これによれば、例えば、特定のチェックボックスを指定することでユーザが使用する端末装置の種類を設定することができる。端末装置は、種類によって解像度、メモリ容量、処理速度などが異なるが、これによれば、ユーザが使用する端末装置の種類を考慮して、地理的情報をユーザの端末装置へ送信することができる。
【００２１】
【発明の実施の形態】
以下、図面を参照して本発明の好適な実施の形態について説明する。
【００２２】
［電子ペン］
まず始めに、電子ペンについて説明する。図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、ユーザは通常のインクペンと同様に専用ペーパー２０上に文字などを書くことになる。
【００２３】
図２に示すように、電子ペン１０は、その内部にプロセッサ１１、メモリ１２、Ｂｌｕｅｔｏｏｔｈトランシーバ１３、バッテリー１４、赤外線ＬＥＤ１５、カメラ１６及び圧力センサ１８を備える。また、電子ペン１０は通常のインクペンと同様の構成要素としてインクカートリッジ（図示せず）などを有する。
【００２４】
電子ペン１０は、ペン先部１７により専用ペーパー２０上に描かれたインクの軌跡をデータ化するのではなく、専用ペーパー２０上で電子ペン１０が移動した軌跡座標をデータ化する。赤外線ＬＥＤ１５が専用ペーパー２０上のペン先部１７近傍を照明しつつ、カメラ１６が専用ペーパー２０にプリントされているドットパターンを読み取り、データ化する。つまり、電子ペン１０は専用ペーパー２０上でユーザが電子ペン１０を移動させることにより生じるストロークを画像データ又はベクトルデータとして取得することができる。
【００２５】
圧力センサ１８は、ユーザが電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、赤外線ＬＥＤ１５及びカメラ１６のスイッチオン／オフの切換を行う。即ち、ユーザが電子ペン１０で専用ペーパー２０上に文字などを書くと、ペン先部１７には筆圧がかかる。よって、所定値以上の筆圧が検出されたときに、ユーザが記述を開始したと判定して、赤外線ＬＥＤ１５及びカメラ１６を作動する。
【００２６】
カメラ１６は専用ペーパー２０上のドットパターンを読み取り、そのパターンデータをプロセッサ１１に供給する。プロセッサ１１は、供給されたドットパターンから、専用ペーパー２０上でのＸ／Ｙ座標を算出する。
【００２７】
プロセッサ１１は、ユーザの記述が行われる間に、筆圧の配列データ及びＸ／Ｙ座標データを取得し、タイムスタンプ（時間情報）と関連付けてメモリ１２に記憶していく。よって、メモリ１２内にはユーザの記述内容に対応するデータが時系列で記憶されていく。メモリ１２の容量は例えば１Ｍバイト程度とすることができる。
【００２８】
ユーザにより送信指示がなされるまでは、取得された全てのデータはメモリ１２内に保持される。そして、ユーザが送信指示を行うと、Ｂｌｕｅｔｏｏｔｈトランシーバ１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、ユーザは専用ペーパー２０上に再度記述を行う必要がある。なお、この場合、ユーザは専用ペーパー２０上にインクペンで書かれた文字などをなぞればよいことになる。
【００２９】
電子ペン１０自体は、送信ボタンなどの機能ボタンを備えておらず、送信指示その他の指示は、ユーザが専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、Ｂｌｕｅｔｏｏｔｈトランシーバ１３にメモリ１２内のデータを供給し、端末装置２５への送信を行わせる。なお、電子ペン１０はディスプレイやボタンなどを持たないが、データの送信完了を電子ペンの振動により示すことができる。
【００３０】
バッテリー１４は電子ペン１０内の各要素に電源供給するためのものであり、例えば電子ペンのキャップ（図示せず）により電子ペン１０自体の電源のオン／オフを行うことができる。
【００３１】
このように、電子ペン１０はユーザが専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００３２】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。なお、端末装置２５などにおいて、電子ペン１０から送信された座標データやベクトルデータから、文字認識アプリケーションを利用してテキストデータを得ることはもちろん可能である。
【００３３】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、ｅｍａｉｌアドレス、空きメモリ容量、名前、住所、ファックス／電話番号、携帯電話番号などを保持することができる。
【００３４】
次に、電子ペンによりユーザが記述した内容のＸ／Ｙデータを取得する方法について説明する。前述のように専用ペーパー２０には、所定のドットパターンが印刷されている。電子ペン１０のカメラ１６は、ユーザが専用ペーパー２０上に記述したインクの軌跡を読み取るのではなく、専用ペーパー２０上のドットパターンを読み取る。実際、図１に示すように、赤外線ＬＥＤ１５による照明領域及びカメラ１６の撮影領域（照明領域内に位置する）は、ペン先部１７が専用ペーパー２０に接触する位置とはずれている。
【００３５】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申請書などの帳票を作成する際は、専用インキ以外のインキで入力枠や罫線、注意書きなどを印刷する。
【００３６】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組み合わせにより、専用ペーパー上の位置座標が決定される。図４（ａ）に例示するように、縦横２ｍｍの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２ｍｍ×２ｍｍであり、カメラ１６は毎秒１００回程度の撮影を行う。
【００３７】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００３８】
図案３４の例を図６に示す。図６は、ある申込書３６の例であり、複数の記入欄３８や送信ボックス３９が印刷されている。図６には明確に図示されていないが、実際にはドットパターンが申込書３６の全面に印刷されており、その上に記入欄３８や送信ボックス３９が通常のインキにより印刷されている。ユーザは、ドットパターンを意識することなく、従来からある申込書と同様に、電子ペン１０を使用して必要事項を申込書３６の各記入欄３８に記入すればよい。
【００３９】
専用ペーパー２０上の領域は大きく２種類の領域に分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００４０】
送信ボックス３９は前述したように電子ペン１０内に記憶されているデータを近傍の端末装置２５へ送信するための指示を行う際に使用される。ユーザが送信ボックス３９内に電子ペン１０でチェックを入れると、電子ペン１０が送信ボックス内のドットパターンを読み取る。当該パターンは送信指示に対応付けられており、電子ペン１０内のプロセッサ１１はＢｌｕｅｔｏｏｔｈトランシーバ１３にメモリ１２内の記憶データの送信命令を発する。
【００４１】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、ユーザが電子ペン１０で必要事項を入力すると、その入力事項がその申込書のどの項目に対するものであるかを、申込書上の座標データから特定することができる。
【００４２】
このように、ドットパターンを印刷した専用ペーパー上に所定の図案を印刷することにより、専用ペーパーを利用した各種申請書が作成できる。ユーザは電子ペン１０を使用して通常の要領で必要事項を記入すれば、その電子データが自動的に取得される。
【００４３】
次に、電子ペンにより取得したデータの送信処理について説明する。前述のように、電子ペン１０の通信機能はＢｌｕｅｔｏｏｔｈによるものであり、専用ペーパー２０に入力したデータを取り扱うサービスサーバ（特定の申込書であれば、その申込先のサーバということになる）に対して電子ペン１０から直接的にデータを送信することはできない。よって、電子ペン１０により取得したデータは、端末装置２５からサービスサーバへ送信される。
【００４４】
その際の処理を図２を参照して説明する。電子ペン１０が取得したデータは、主としてユーザが入力した事項のデータであるが、通常はそのデータの送信先であるサービスサーバがどこであるかの情報は含まれていない。その代わりに、その専用ペーパーに関するアプリケーションやサービスを特定する情報が専用ペーパー上に印刷されており、ユーザの入力作業中に専用ペーパーからその情報が取得されている。よって、電子ペン１０から入力データを受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した入力データをそのサービスサーバ２７へ送信することになる。
【００４５】
［地理的情報提供システム］
次に、本発明に係る地理的情報提供システムについて、説明する。図７に、地理的情報提供システムの概略構成を示す。図７に示す地理的情報提供システムは、ユーザが電子ペン１０を利用して印刷物４上の所定の座標を指定した場合に、地図データや経路情報などの地理的情報を、地図サーバ３やデータ処理サーバ５からユーザの端末装置２５へデジタルデータとして配信するものである。
【００４６】
図７に示すように、地理的情報提供システムは、ユーザの端末装置２５と、データ処理サーバ５と、地図サーバ３とがネットワーク２を通じて接続されている。ネットワーク２の１つの好適な例はインターネットである。
【００４７】
まず、本システムにおいて、地図データを地理的情報としてユーザに提供する方法の概要を述べておく。
【００４８】
ユーザは、電子ペン１０を利用して、印刷物４に印刷された地図上で任意の座標を指定する。指定した座標に対応する書込位置座標は、電子ペン１０から端末装置２５へ送信され、端末装置２５からデータ処理サーバ５へ送信される。データ処理サーバ５は、当該書込位置座標を、実際の緯度及び経度に対応する緯度経度情報に変換する処理を行い、当該緯度経度情報を地図サーバ３へ送信する。地図サーバ３は、当該緯度経度情報に対応する地図データをユーザの端末装置２５へ送信する。こうして、ユーザは所望の地図データを取得することができる。なお、詳細は後述するが、ユーザは地図データの縮尺を設定することもできる。また、ここで、地図は交通機関の路線図等も含むものとする。
【００４９】
次に、本システムにおいて、経路情報を地理的情報として提供する方法の概要を述べておく。ここで、経路情報は、例えば、交通機関を利用した場合における出発地から目的地までの乗換情報や、徒歩による所要時間などが挙げられる。
【００５０】
ユーザは、電子ペン１０を利用して、印刷物４に印刷されている地図上の任意の座標を出発地として指定する。さらに、ユーザは電子ペン１０を利用して、印刷物４に印刷されている地図上の任意の座標を目的地として指定する。そして、ユーザは、取得したい経路情報が、交通機関を利用した乗換情報であるのか、徒歩による所要時間であるのかといった経路情報の種別を指定する。さらに、ユーザは、出発地及び目的地に対応する書込位置座標と、経路情報の種別を電子ペン１０から端末装置２５へ送信する。その後、経路情報の種別と、出発地及び目的地の書込位置座標は、端末装置２５からデータ処理サーバ５へ送信される。データ処理サーバ５は、当該書込位置座標を、実際の緯度及び経度に対応する緯度経度情報に変換する処理を行う。さらに、データ処理サーバ５は、出発地及び目的地の緯度経度情報と、経路情報の種別に基づいて、ユーザが取得したい経路情報をユーザの端末装置２５へ送信する。こうして、ユーザは所望の経路情報を取得することができる。
【００５１】
次に、各要素について個別に説明する。まず、印刷物４について詳しく説明する。印刷物４は、紙媒体であり、例えば、１ページに所定の範囲の地図を印刷した関東版地図などとすることができる。ここで、本発明のシステムでは、印刷物は上述した専用ペーパーとして作成されている。即ち、図５に例示するように、台紙３０上に所定のドットパターン３２が印刷されており、その上に所定の範囲の地図が印刷されている。先に述べたように、ドットパターン３２は電子ペン１０が認識することができるように、カーボンを含んだインキにより印刷されている。一方、記事や画像などの図案３４は、通常の（カーボンを含まない）インキにより印刷されているため、電子ペン１０がそれを認識することはない。
【００５２】
印刷物４の１ページの例を図８に示す。図示のように、印刷物４の１ページには、所定の範囲の地図４０が印刷されており、この例では、東京駅周辺の地図である。なお、印刷物４は、ページ毎に異なるドットパターンが印刷されている。よって、ユーザが電子ペン１０を使用して印刷物４の特定のページ上の特定の位置に書込を行うと、電子ペン１０はドットパターンに基づいて、印刷物４のどのページ上のどの座標に書込が行われたかを示すデータを生成する。つまり、電子ペン１０は、書込位置座標を示すデータを生成し、内部のメモリ１２に記憶する。
【００５３】
従って、ユーザが、印刷物４において図８に例示するページを開き、例えば東京駅に対応する座標を指定するために座標の上に電子ペン１０でチェック４１などを書き込むと、電子ペン１０はその書込位置座標を取得し、メモリ１２に記憶する。そして、ユーザが印刷物４上に設けられている送信ボックス４２をチェックすると、メモリ１２内に記憶されていた書込位置座標が電子ペンから所定の端末装置へ送信される。
【００５４】
印刷物４の各ページには、前述の送信コマンドを送信するための送信ボックス４２以外にも、縮尺、出発地、目的地、乗換及び徒歩といった複数のボックスが印刷されている。
【００５５】
縮尺ボックス４３は、ユーザが地図データを取得したい場合に、自己の端末装置２５にダウンロードして表示する地図データの縮尺を指定するために使用される。縮尺ボックス４３は、例えば、図８に示すように、３０００分の１、６５００分の１、２１０００分の１、７５０００分の１、１５００００分の１、広域などが設定されている。ユーザが地図上の任意の座標を、電子ペン１０でチェックすることにより指定した後、任意の縮尺ボックス内に電子ペン１０でチェックを入れると、電子ペン１０が縮尺ボックス内のドットパターンを読み取る。当該パターンは縮尺に対応付けられており、電子ペン１０内のプロセッサ１１は、ユーザが指定した任意の縮尺を認識する。
【００５６】
出発地ボックス４４は、ユーザが経路情報を取得したい場合に、ユーザの電子ペン１０を利用した座標の指定が、出発地の座標を指定していることを認識するために使用される。ユーザが、地図上の任意の座標を指定した後に、出発地ボックス４４内に電子ペン１０でチェックを入れると、電子ペン１０が出発地ボックス４４内のドットパターンを読み取る。当該パターンは出発地の認識に対応づけられており、電子ペン１０内のプロセッサ１１は、当該座標が出発地であることを認識する。なお、上記の例では、ユーザが地図上の任意の座標を指定した後に出発地ボックス４４にチェックを入れているが、出発地ボックス４４にチェックを入れた後にユーザが任意の座標を指定するように設定することもできる。
【００５７】
目的地ボックス４５は、ユーザが経路情報を取得したい場合に、ユーザの電子ペン１０を利用した座標の指定が、目的地の座標を指定していることを認識するために使用される。ユーザが、地図上の任意の座標を指定した後に、目的地ボックス４５内に電子ペン１０でチェックを入れると、電子ペン１０が目的地ボックス４５内のドットパターンを読み取る。当該パターンは目的地認識に対応づけられており、電子ペン１０内のプロセッサ１１は、当該座標が目的地であることを認識する。なお、上記の例では、ユーザが地図上の任意の座標を指定した後に目的地ボックス４５にチェックを入れているが、目的地ボックス４５にチェックを入れた後にユーザが任意の座標を指定するように設定することもできる。
【００５８】
乗換ボックス４６は、ユーザが経路情報として交通機関を利用した乗換に関するデータを取得したい場合に使用される。出発地及び目的地の認識させた後、ユーザが乗換ボックス４６内に電子ペン１０でチェックを入れると、電子ペン１０が乗換ボックス４６内のドットパターンを読み取る。当該パターンは経路情報の種別認識に対応付けられており、電子ペン１０内のプロセッサ１１は、経路情報の種別は「乗換」であり、ユーザが交通機関を利用した乗換に関するデータを要求していると認識する。
【００５９】
一方、徒歩ボックス４７は、ユーザが経路情報として徒歩による所要時間のデータを取得したい場合に使用される。出発地及び目的地の認識させた後、ユーザが徒歩ボックス４７内に電子ペン１０でチェックを入れると、電子ペン１０が徒歩ボックス４７内のドットパターンを読み取る。当該パターンは経路情報の種別認識に対応付けられており、電子ペン１０内のプロセッサ１１は、経路情報の種別は「徒歩」であり、ユーザが徒歩による所要時間のデータを要求していると認識する。
【００６０】
なお、経路情報の取得時において、出発地ボックス４４、目的地ボックス４５、乗換ボックス４６、徒歩ボックス４７などを指定する順序は、電子ペン１０又は携帯端末２５内に用意される処理プログラムの設計により、各種の方法を実現することができる。
【００６１】
次に、データ処理サーバ５について詳しく説明する。データ処理サーバ５は、緯度経度ＤＢ６及び乗換ＤＢ７に接続されている。データ処理サーバ５は、詳細は後述するが、ネットワーク２を介しての通信機能、緯度経度情報変換機能、経路情報取得機能などを有する。
【００６２】
緯度経度ＤＢ６は、図９に示すように印刷物４に印刷されたドットパターンの座標と、地球上の位置を示す緯度経度との対応を記憶している。即ち、印刷物４のあるページ上の位置をユーザが指定すると、そのページを示す情報及びユーザが指定した位置の情報が電子ペン１０により取得される。なお、ページとは、印刷物４のページの情報であり、例えば、図８に示す地図の場合は、ページ１である。
【００６３】
緯度経度ＤＢ６は、ドットＸ、ドットＹ、緯度及び経度から構成されている。ドットＸは、印刷物４に印刷されたドットパターンのＸ座標である。一方、ドットＹは、印刷物４に印刷されたドットパターンのＹ座標である。このように、ユーザが電子ペン１０を利用して印刷物４にチェック等の書込を行った場合の書込位置座標は、ドットＸ及びドットＹにより特定することができる。これは、印刷物４に印刷されている全てのページのドットパターンが異なり、一意となっているからである。
【００６４】
一方、緯度は、イギリスのグリニッジ天文台跡を通る南北の線に基づいて、東西へそれぞれ１８０度までを表す。なお、東まわりを東経、西まわりを西経と呼ぶ。経度は、赤道に基づいて、南北へそれぞれ９０度までを表す。赤道の北側を北緯、南側を南緯と呼ぶ。このように、地球上の位置は、緯度経度で一意に表すことができる。
【００６５】
これにより、データ処理サーバ５は、端末装置２５から受信した書込位置座標を、緯度経度ＤＢ６に基づいて、地球上の位置を示す緯度経度情報に変換することができる。即ち、データ処理サーバ５は、ユーザが印刷物４の地図上で指定した座標が、地球上のどの位置であるかを把握することができる。
【００６６】
乗換ＤＢ７は、ユーザが経路情報として交通機関を利用した乗換情報を要求した場合にデータ処理サーバ５によって参照される。乗換ＤＢ７は、図１０に示すように、駅ＩＤ、駅名、駅範囲データ、目的駅名、所要時間及びルートから構成されている。駅ＩＤは、日本中の駅を一意に特定することができる識別情報である。駅名は、所定の駅ＩＤに対応付けられた駅の名前である。駅範囲データは、印刷物４に印刷された地図上で、どの範囲の位置座標が所定の駅の最寄りとなるかを示している。例えば、ユーザが電子ペン１０で出発地として指定した書込位置座標が、図１０に示すような、（ｘ３，ｙ３）〜（ｘ４，ｙ４）の範囲内であれば、当該出発地の最寄駅は「東京」となる。
【００６７】
所要時間は、交通機関を利用した場合における、駅ＩＤに対応する駅から目的駅までの所要時間である。ルートは、駅ＩＤに対応する駅から目的駅までに利用した交通機関である。
【００６８】
これにより、データ処理サーバ５は、ユーザの指定した出発地及び目的地の緯度経度情報に基づいて、最寄りの出発駅及び目的駅を取得することができる。また、データ処理サーバ５は、取得した出発駅及び目的駅に基づいて、経路情報として交通機関を利用した乗換情報、例えば所要時間やルートを取得することができる。
【００６９】
次に、地図サーバ３について詳しく説明する。地図サーバ３は、地図ＤＢ８に接続されている。地図サーバ３は、詳細は後述するが、ネットワーク２を介しての通信機能、地図データ取得機能などを有する。
【００７０】
地図ＤＢ８は、緯度及び経度に基づいて日本全国の地図データを記憶している。また、地図ＤＢ８は、予め設定された複数の縮尺の地図データを記憶している。これにより、地図サーバ３は、データ処理サーバ５から受信した緯度経度情報及び縮尺情報に基づいて、ユーザが要求する位置及び縮尺の地図データを取得することができる。なお、ここで予め設定された縮尺とは、印刷物４上に印刷されている縮尺ボックスの設定と同じである。
【００７１】
［地理的情報提供処理］
次に、上記の地理的情報提供システムにより実行される地理的情報提供処理について、図８、図１１乃至１５を参照して説明する。図１１は地理的情報提供処理における地図データ提供処理のフローチャートであり、図１２は地理的情報提供処理における経路情報提供処理のフローチャートである。また、図８は地図データ提供処理において使用する印刷物４上の印刷例であり、図１３は経路情報提供処理において使用する印刷物４上の印刷例である。また、図１４は、ユーザの端末装置上における地理的情報表示例である。
【００７２】
まず、地理的情報提供処理における地図データ提供処理について図８、図１１及び図１４を参照して説明する。
【００７３】
ユーザは、電子ペン１０を利用して印刷物４の地図上にチェック４１を書き込むなどして場所を指定する（ステップＳ１）。また、ユーザは、印刷物４上の複数の縮尺ボックスから任意の縮尺ボックス４３をチェックする（ステップＳ２）。そして、ユーザは、印刷物４上の送信ボックス４２をチェックすることにより、書込位置座標及び縮尺情報を電子ペン１０から端末装置２５へ送信する。端末装置２５は、書込位置座標及び縮尺情報を受信すると、それに自己の端末情報（例えば、ネットワーク２上の端末アドレスなど）を付加してデータ処理サーバ５へ送信する（ステップＳ３）。なお、端末情報を付加する理由は、地図サーバ３に地図データの送信先情報を提供するためである。
【００７４】
データ処理サーバ５は、書込位置座標、縮尺情報及び端末情報を受信し、緯度経度ＤＢ６に基づいて当該書込位置座標を緯度経度情報に変換する（ステップＳ４）。そして、データ処理サーバ５は、変換した緯度経度情報に、端末装置２５から受信した縮尺情報及び端末情報をそのまま付加して地図サーバ３へ送信する（ステップＳ５）。
【００７５】
地図サーバ３は、データ処理サーバ５から受信した緯度経度情報及び縮尺情報に基づいて、地図ＤＢ８から対応する地図データを取得する（ステップＳ６）。そして、地図サーバ３は、取得した地図データを、データ処理サーバ５から受信した端末情報に従ってユーザの端末装置２５へ送信する（ステップＳ７）。
【００７６】
ユーザの端末装置２５は、地図サーバ３から地図データを受信し、地理的情報として端末装置２５の画面上に表示（図１４（ａ）を参照）や、端末装置内への記憶等の所定の処理を行う（ステップＳ８）。こうして、ユーザは任意の位置、任意の縮尺を設定した地図をデジタルデータとして取得することができる。
【００７７】
なお、上記地理的情報提供処理における地図データ提供処理において、縮尺ボックスに電子ペン１０によるチェックがない、即ち、ユーザによる縮尺の指定がない場合は、予め設定された縮尺に基づいて処理が行われる。
【００７８】
次に、地理的情報提供処理における経路情報提供処理について図１２乃至図１４を参照して説明する。
【００７９】
ユーザは、電子ペン１０を利用して印刷物４に印刷された地図上にチェック５１を書き込む等により出発地の場所を指定し、印刷物４上の出発地ボックス４４をチェックする（ステップＳ１１）。次に、ユーザは、電子ペン１０を利用して印刷物４に印刷された地図上にチェック５２を書き込む等により目的地の場所を指定し、印刷物４上の目的地ボックス４５をチェックする（ステップＳ１２）。このとき、出発地と目的地の指定は、印刷物４の１つのページ上であるか否かは問わない。
【００８０】
さらに、ユーザは印刷物４上の乗換ボックス４６又は徒歩ボックス４７をチェックし、経路情報の種別を指定する（ステップＳ１３）。そして、ユーザは、印刷物４上の送信ボックス４２をチェックすることにより、出発地及び目的地の書込位置座標、経路情報の種別を電子ペン１０から端末装置２５へ送信する。端末装置２５は、当該書込位置座標及び経路情報の種別を受信すると、それに自己の端末情報を付加してデータ処理サーバ５へ送信する（ステップＳ１４）。
【００８１】
データ処理サーバ５は、当該書込位置座標、経路情報の種別及び端末情報を受信する。そして、データ処理サーバ５は、緯度経度ＤＢ６に基づいて出発地に対応する書込位置座標を緯度経度情報に変換する（ステップＳ１５）。また、データ処理サーバ５は、緯度経度ＤＢ６に基づいて目的地に対応する書込位置座標を緯度経度情報に変換する（ステップＳ１６）。
【００８２】
そして、データ処理サーバ５は、経路情報の種別に基づいて処理を行う。まず、データ処理サーバ５が、経路情報の種別として「乗換」を認識し、ユーザが乗換ボックス４６にチェックしたと判断した場合について説明する。データ処理サーバ５は、ステップＳ１５により変換した出発地の緯度経度情報、及び、乗換ＤＢ７に基づいて、出発地の最寄駅を取得する（ステップＳ１７）。さらに、データ処理サーバ５は、ステップＳ１６により変換した目的地の緯度経度情報、及び、乗換ＤＢ７に基づいて、目的地の最寄駅を取得する（ステップＳ１８）。そして、データ処理サーバ５は、出発地及び目的地の最寄駅に基づいて乗換ＤＢ７を検索する。データ処理サーバ５は、経路情報として、検索結果である所要時間及びルートを取得する（ステップＳ１９）。
【００８３】
一方、データ処理サーバ５が、経路情報の種別として「徒歩」を認識し、ユーザが徒歩ボックス４７にチェックしたと判断した場合について説明する。データ処理サーバ５は、ステップＳ１５により変換した出発地の緯度経度情報、及び、ステップＳ１６により変換した目的地の緯度経度情報に基づいて、出発地と目的地の距離を算出する。そして、データ処理サーバ５は、当該距離と人間の歩行の平均速度に基づいて出発地から目的地までの徒歩による所要時間を算出し、経路情報として、算出結果である所要時間を取得する（ステップＳ１９）。なお、ユーザが徒歩ボックス４７にチェックしたと判断した場合、データ処理サーバ５は、ステップＳ１７及びＳ１８の処理は行わない。
【００８４】
なお、これらの経路情報の取得方法は既知であるので、更なる詳細な説明は省略する。また、上記の取得方法は一例であり、本発明は、上記とは異なる方法で経路情報を取得する地理的情報提供システムに対しても適用可能である。
【００８５】
ステップＳ１９において、経路情報を取得すると、データ処理サーバ５は、当該経路情報を端末情報に従ってユーザの端末装置２５へ送信する（ステップＳ２０）。
【００８６】
ユーザの端末装置２５は、データ処理サーバ５から経路情報を受信し、地理的情報として端末装置の表示画面上に表示（図１４（ｂ））や、端末装置内への記憶等の所定の処理を行う（ステップＳ２１）。こうして、ユーザは、経路情報をデジタルデータとして取得することができる。
【００８７】
なお、上記の実施形態では、縮尺ボックス４３の設定は、「３０００分の１」や「６５００分の１」などであるが、「大」、「中」、「小」や「半径５００ｍ以内」など種々の設定をすることが可能である。これによれば、自分が必要とする地図データの範囲を身近な感覚として認識、指定することができる。
【００８８】
また、上記の実施形態において経路情報の種別が「乗換」の場合、出発地から目的地までの交通機関を利用した所要時間とルートが経路情報として端末装置２５上に表示される。しかし、経路情報はこれに限られるものではなく、例えば、出発地の最寄駅の時刻表や出発地から目的地までの交通費も経路情報として表示する等、種々の設定をすることが可能である。
【００８９】
また、上記の実施形態において経路種別が「徒歩」の場合、出発地から目的地までの徒歩による所要時間が経路情報として端末装置２５上に表示される。しかし、経路情報はこれらに限られるものではなく、例えば、出発地から目的地までの距離など、種々の設定をすることが可能である。さらに、経路情報に加えて、地図データも併せて端末装置２５に送信することもできる。特にユーザが徒歩で目的地へ行く場合には、経路情報に加えて地図データを表示できると便利である。
【００９０】
［変形例１］
上記の実施形態では、印刷物４の全てのページに異なるドットパターンを印刷しておき、ユーザがあるページ上のある位置を電子ペン１０で指定すると、そのページの識別情報を取得することができるように構成されている。その代わりに、印刷物４の各ページに同一のドットパターンを印刷し（但し、１つのページ内では重複するドットパターンが印刷されている箇所はない）、ページの識別情報をユーザが指定するように構成することもできる。その場合にユーザがページの識別番号を指定する方法としては、電子ペン１０により印刷物上の位置情報を端末装置２５に送信した後、ユーザが端末装置２５を操作してページ番号を入力することができる。また、その代わりに、印刷物４の各ページにページ番号の入力欄を設けておき、ユーザがこれに対して入力を行うことによりページ番号を指定することとしてもよい。印刷物４上に設けるページ番号指定欄は、例えばページ番号を示す２〜３桁のボックス内にユーザがページ番号を示す数値を入力するようにしてもよいし、各桁について０〜９の数値に対応するボックスを印刷しておき、対応する数値のボックスをユーザがチェックするように構成してもよい。なお、そのような印刷物を利用して数値を入力する方法については、例えば特願２００２−１４８７４９号に記載されているＩＤ入力方法を適用することができる。
【００９１】
［変形例２］
さらに、上記の例は、地図が印刷された印刷物４をユーザが所持している場合であるが、当該印刷物４を駅その他の公共の場所に貼って多数のユーザが利用する等、必ずしもユーザが所持する必要はない。また、上記の例のように、印刷物４に印刷されているドットパターンに対応する情報は、必ず緯度及び経度である必要はなく、位置が認識できれば種々の情報を対応させることができる。例えば、印刷物４に地下鉄の路線図が印刷され、当該路線図が所定の駅構内に貼られているものとすることもできる。
【００９２】
その場合、まず、ユーザは自身の所有する電子ペン１０を利用して当該路線図上で出発駅と目的駅を指定する。そして、ユーザは出発駅及び目的駅に対応する書込位置座標を電子ペン１０から、自身の所有する端末装置２５へ送信する。その後、出発駅及び目的駅に対応する書込位置座標は、端末装置２５からデータ処理サーバへ送信される。データ処理サーバは、当該書込位置座標に基づいて経路情報を取得し、ユーザの端末装置２５へ送信する。こうして、ユーザは所望の経路情報を取得することができる。これによれば、ユーザは常に印刷物４を所持する必要はなく、公共施設等に掲示されている印刷物４を利用して、簡便に地図データや経路情報を取得することができる。
【００９３】
［変形例３］
また、上記の例では、ユーザが使用する端末装置として、ブラウザ機能及びネットワークを介しての通信機能を有する任意の携帯電話、パソコン、ＰＤＡ（Ｐｅｒｓｏｎａｌ　Ｄｉｇｉｔａｌ　Ａｓｓｉｓｔａｎｔｓ）、テレビ等を利用することができる。そのため、地図データや経路情報といった地理的情報を受信するユーザの端末装置を指定するための端末選択チェックボックスを、例えば図８に示す出発地ボックス４４のように、印刷物上に設定しておくことができる。このような端末選択チェックボックスとしては、例えば、携帯電話ボックス、ＰＣボックス、テレビボックスなどが考えられる。
【００９４】
具体的に、ユーザが目的地の地図データを要求した場合について説明する。まず、ユーザは自身の所有する電子ペン１０を利用して、印刷物４の地図上にチェックを書き込むなどして場所を指定する。また、ユーザは、印刷物４上の複数の縮尺ボックスから任意の縮尺ボックスをチェックする。さらに、ユーザは、印刷物４上の端末選択チェックボックスから任意で、例えば、携帯電話ボックスをチェックする。そして、ユーザは、書込位置座標、縮尺情報及び端末選択情報を電子ペン１０から端末装置２５へ送信する。端末装置２５は、書込位置座標、縮尺情報及び端末選択情報を受信すると、それに自己の端末情報を付加してデータ処理サーバ５へ送信する。
【００９５】
データ処理サーバ５は、書込位置座標、縮尺情報及び端末選択情報を受信し、緯度経度ＤＢ６に基づいて当該書込位置座標を緯度経度情報に変換する。そして、データ処理サーバ５は、変換した緯度経度情報、縮尺情報、端末選択情報及び端末情報を地図サーバ３へ送信する。
【００９６】
地図サーバ３はデータ処理サーバ５から受信した緯度経度情報、縮尺情報及び端末選択情報に基づいて、地図ＤＢ８から該当する地図データを取得する。そして、地図サーバ３は、取得した地図データを端末情報に従ってユーザの端末装置２５へ送信する。こうして、ユーザの端末装置２５において、ユーザは任意の地理的情報を閲覧することができる。
【００９７】
ここで、端末選択情報に基づいた地図データとは、例えば、ユーザの端末装置２５である携帯電話に対応した地図データを意味する。これは、端末装置２５の種類によって解像度、メモリ容量、処理速度などが異なるため、それぞれの端末装置２５の解像度などに対応した地図データをユーザに提供するためである。なお、それぞれの端末装置２５に対応した地図データは、予め地図サーバ３に端末装置の種類毎に記憶されていてもよいし、地図データの要求がある度に地図サーバ３がそれぞれの端末装置に対応するように変換しても構わない。また、地図データに限らず、その他の地理的情報をユーザの端末装置２５に対応させること（例えば、経路情報の文字数制限など）も可能である。
【００９８】
これによれば、地図サーバ３は、ユーザが使用する端末装置２５の解像度などに対応した地理的情報を提供することができる。よって、ユーザは、任意の地理的情報を、文字化けなどすることなく、自身の端末装置２５上で快適に閲覧することができる。
【００９９】
なお、上記の例では、印刷物４上の書込位置座標から緯度経度情報を取得する処理を、データ処理サーバ５において行っているが、ユーザの端末装置内若しくは地図サーバ３が行うことも可能である。また、上記、地理的情報提供処理において、地図の再利用を考えた場合、電子ペン１０のインクはない方が好ましい。
【０１００】
以上説明したように、紙媒体の地図は決まった縮尺でしか閲覧することができないが、本発明のデジタルデータの地図は、印刷物上のすべての地図において、設定された縮尺の地図データを端末装置と連動してユーザに提供することができる。
【０１０１】
また、従来のデジタルデータの地図を取得する場合のように、ユーザは、所定のウェブサイトで表示したい地図を検索する必要がなく、印刷物上の地図をチェックすることで、簡便に任意の縮尺のデジタルデータによる地図を取得することができる。さらに、ユーザは、所定のウェブサイトで経路情報を検索することなく、印刷物上の地図をチェックすることで、簡便に経路情報を取得することができる。
【０１０２】
これによれば、ユーザは、ウェブサイトで地図データや経路情報を検索する必要がなく、印刷物上の地図をチェックすることによって、文字入力ではなく視覚的に地図データや経路情報を取得することができる。よって、特に携帯電話のような入力デバイスが小さく入力しづらい端末装置の場合、ユーザは住所の入力といった煩雑な処理をする必要がないため、簡便に地図データや経路情報を取得することができる。即ち、パーソナルコンピュータの操作やウェブ閲覧に慣れないユーザであっても、容易に所望のデータを取得することが可能となる。
【０１０３】
【発明の効果】
以上説明したように、本発明によれば、入力デバイスとして電子ペンを利用することにより、ユーザは、地図に関連する地理的情報を、デジタルデータとして容易に取得することができる。よって、パーソナルコンピュータの操作やウェブ閲覧に慣れないユーザであっても、容易に所望の地理的情報を取得することが可能となる。
【図面の簡単な説明】
【図１】電子ペンの使用形態を模式的に示す図である。
【図２】電子ペンの構造を示す機能ブロック図である
【図３】専用ペーパーにプリントされたドットパターンによる情報の表現方法を説明する図である。
【図４】ドットパターン及びそれに対応する情報の例を示す。
【図５】専用ペーパーにより構成される帳票の構造を示す。
【図６】帳票の例を示す。
【図７】電子ペン及び専用ペーパーを利用した地理的情報提供システムの概略構成を示す図である。
【図８】地図データ提供処理において使用する印刷物上の印刷例を示す。
【図９】本発明の地理的情報提供システムに使用される緯度経度ＤＢのデータ構造を模式的に示す図である。
【図１０】本発明の地理的情報提供システムに使用される乗換ＤＢのデータ構造を模式的に示す図である。
【図１１】地理的情報提供処理における地図データ提供処理を示すフローチャートである。
【図１２】地理的情報提供処理における経路情報提供処理を示すフローチャートである。
【図１３】経路情報提供処理において使用する印刷物上の印刷例を示す。
【図１４】ユーザの端末装置上における地理的情報表示例を示す。
【符号の説明】
２　ネットワーク
３　地図サーバ
４　印刷物
５　データ処理サーバ
６　緯度経度データベース
７　乗換データベース
８　地図データベース
１０　電子ペン
１１　プロセッサ
１２　メモリ
１３　トランシーバ
１４　バッテリー
１５　ＬＥＤ
１６　カメラ
１７　ペン先部
２０　専用ペーパー
２５　端末装置
【図１】
2004046424.tif 000003
【図２】
2004046424.tif 000004
【図３】
2004046424.tif 000005
【図４】
2004046424.tif 000006
【図５】
2004046424.tif 000007
【図６】
2004046424.tif 000008
【図７】
2004046424.tif 000009
【図８】
2004046424.tif 000010
【図９】
2004046424.tif 000011
【図１０】
2004046424.tif 000012
【図１１】
2004046424.tif 000013
【図１２】
2004046424.tif 000014
【図１３】
2004046424.tif 000015
【図１４】
2004046424.tif 000016